(57)【特許請求の範囲】
【請求項１】
ブロック本体の上面にヒューズケース取付部を凹設し、該ヒューズケース取付部の底面の一側に連通させてブロック本体の下部にバスバー収容部を設け、該バスバー収容部にバスバーを垂直方向に挿入して収容し、このバスバーの垂直配置部分に細幅としたヒュージブルリンク部を一体的に形成すると共に、該バスバーの上端に複数のヒューズ接続用端子部を突出させ、上記垂直配置部分とヒューズ接続用端子部との間に設けた水平屈折部を上記ヒューズケース取付部の底面上に支持し、該ヒューズケース取付部に嵌合するヒューズケースとの間で上記バスバーの水平屈折部を挟持し、該ヒューズケースの各端子収容室に上記バスバーのヒューズ接続用端子部を突出させて、ヒューズケースに並設したヒューズ収容部に取り付けるヒューズの端子と接続させる一方、
上記垂直配置部分のバスバーの下端に外部回路接続用端子部を設け、ブロック本体に形成した端子収容室内に挿入して、電線端末の端子と接続させる構成としている自動車用電気接続箱。
【請求項２】
上記バスバーは１枚板を打抜加工した後に屈折させて形成している請求項１に記載の自動車用電気接続箱。
【請求項３】
上記ブロック本体の一側部に複数のリレー収容部を設けていると共に、他側部に上記ヒューズケース取付部を設け、該ヒューズケース取付部の下部に上記バスバー収容部を下方へ突出させて設け、該バスバー収容部に下面開口の電線端末の端子収容室を設け、これら端子収容室に電源線端末に接続した端子を挿入係止して、上記バスバーの外部回路接続用端子と雌雄嵌合接続させている請求項１または請求項２に記載の自動車用電気接続箱。
【請求項４】
上記バスバーのヒュージブルリンク部を囲む領域に樹脂モールドしている請求項１乃至請求項３のいずれか１項に記載の自動車用電気接続箱。
【請求項５】
上記バスバーに形成したランス部を上記バスバー収容部に設けた係止溝に係止、あるいは、バスバーに形成した係止穴にバスバー収容部に設けたランス部を係止している請求項１乃至請求項３のいずれか１項に記載の自動車用電気接続箱。
【請求項６】
上記バスバーのヒュージブルリンク部を囲む領域に保護枠を取り付け、該保護枠の内部とバスバーのいずれか一方にランス部を突設すると共に、いずれか他方に係止溝を設けて係止し、該保護枠を取り付けた状態で上記バスバー収容部に収容している請求項１乃至請求項３のいずれか１項に記載の自動車用電気接続箱。
【発明の詳細な説明】
【０００１】
【発明の属する技術分野】
本発明は、自動車用電気接続箱に関し、詳しくは、別部品のヒュージブルリンクを搭載することなく大容量ヒューズを設けたリレーボックスに関するものである。
【０００２】
【従来の技術】
従来、自動車に搭載する電気接続箱のうちリレーボックス１は図７（Ａ）に示す構成とされており、リレーボックス１の上面にヒュージブルリンク搭載部２、リレー搭載部３、ヒューズ搭載部４を設け、これら各搭載部２〜４にそれぞれヒュージブルリンク、リレー、ヒューズの端子を差し込んで搭載している。上記ヒュージブルリンクとリレーとは電線又はバスバーを介して接続している。
また、上記リレー、ヒューズの出力側の端子には、リレーボックス１の底面側に設けている端子収容室５に電線端末の端子（図示せず）を挿入係止して接続している。
また、図７（Ｂ）に示すように電源線ｗの端末にはボルト止め端子７を接続し、リレーボックス内のバスバー６とボルト８により結合して電気接続している。
【０００３】
【発明が解決しようとする課題】
上記リレーボックス１では、ヒュージブルリンク搭載部２、リレー搭載部３、ヒューズ搭載部４を全てリレーボックス１の上面に備えているため、リレーボックス１の面積が大きくなる問題があり、車両内の限られた搭載スペースに収めるためにはリレーボックスの平面スペースを小さくする必要がある。
また、リレーボックス１に別部品のヒュージブルリンクを搭載し、該ヒュージブルリンクをヒューズ等と電線を介して接続するため、作業手数がかかると共に部品点数も多くなる問題がある。
【０００４】
さらに、電源線ｗとバスバー６との接続に用いられているボルト締め構造は、端子７の他にボルト８を用いてボルト締めする必要があり、部品点数および作業工数が掛かる問題がある。上記ボルト締め構造に代えてコネクタ接続を行ったとしても、電線側にコネクタを、ブロック本体側にはコネクタハウジングのスペースを設ける必要があり、部品点数の増大およびリレーボックスの大型化の問題が生じる。
【０００５】
本発明は、上記問題に鑑みてなされたもので、ヒュージブルリンクの搭載、ヒュージブルリンクとヒューズ等との電線接続を廃止して作業手数を低減すると共にリレーボックスの平面スペースを小さくし、さらに、電源線とのボルト締め接続を廃止することを課題としている。
【０００６】
【課題を解決するための手段】
上記課題を解決するため、本発明は、ブロック本体の上面にヒューズケース取付部を凹設し、該ヒューズケース取付部の底面の一側に連通させてブロック本体の下部にバスバー収容部を設け、該バスバー収容部にバスバーを垂直方向に挿入して収容し、このバスバーの垂直配置部分に細幅としたヒュージブルリンク部を一体的に形成すると共に、該バスバーの上端に複数のヒューズ接続用端子部を突出させ、上記垂直配置部分とヒューズ接続用端子部との間に設けた水平屈折部を上記ヒューズケース取付部の底面上に支持し、該ヒューズケース取付部に嵌合するヒューズケースとの間で上記バスバーの水平屈折部を挟持し、該ヒューズケースの各端子収容室に上記バスバーのヒューズ接続用端子部を突出させて、ヒューズケースに並設したヒューズ収容部に取り付けるヒューズの端子と接続させる一方、
上記垂直配置部分のバスバーの下端に外部回路接続用端子部を設け、ブロック本体に形成した端子収容室内に挿入して、電線端末の端子と接続させる構成としている自動車用電気接続箱を提供している。
【０００７】
上記構成とすると、上記バスバーに細幅部分を設けてヒュージブルリンク部を一体形成しているので、別部品としてのヒュージブルリンクを必要とせず、部品点数を低減することができる。
さらに、上記バスバーの一端側にヒューズ接続用端子部を突出してヒューズと接続しているため、ヒュージブルリンクとヒューズとを電線を介在させずに接続することができる。
【０００８】
また、上記バスバーを垂直配置しているため、リレーボックスの平面スペースを小さくすることができる。
さらにまた、バスバーの他端側に外部回路接続用端子部を設けて、上記ブロック本体の端子収容室にて電線端末の端子と直接接続することで、電線とヒュージブルリンクとの接続も、簡単に行なうことができる。
【０００９】
上記バスバーは１枚板を打抜加工した後に屈折させて形成しており、
上記ブロック本体の上面に上記ヒューズケース取付部を凹設し、該ヒューズケース取付部の底面の一側に連通させて上記バスバー収容部を設け、該バスバー収容部に上記バスバーを垂直方向に挿入し、上記バスバーの上記ヒュージブルリンク部を有する垂直配置部分と上端のヒューズ接続用端子部との間に設けた水平屈折部を底面上に支持し、該ヒューズケース取付部に嵌合するヒューズケースとの間で上記バスバーの水平屈折部を挟持している。
【００１０】
上記バスバーのうちヒュージブルリンク部の上方で水平に屈折させ、該水平屈折部をヒューズケース取付部の底面と上記ヒューズケースとの間で挟持しているので、該水平屈折部の先端を垂直方向に屈折させた上記ヒューズ接続用端子部にヒューズを差し込み接続する際に、ヒューズを押し込む力が細幅のヒュージブルリンク部に負荷されるのを防ぐことができ、ヒュージブルリンク部の保護を図ることができる。
【００１１】
上記ブロック本体の一側部に複数のリレー収容部を設けていると共に、他側部に上記ヒューズケース取付部を設け、該ヒューズケース取付部の下部に上記バスバー収容部を下方へ突出させて設け、該バスバー収容部に下面開口の電線端末の端子収容室を設け、これら端子収容室に電源線端末に接続した端子を挿入係止して、上記バスバーの外部回路接続用端子と雌雄嵌合接続させている。
【００１２】
上記構成とすると、ブロック本体の一側にリレー収容部を設ける一方で、他側にヒューズケース取付部、バスバー収容部、端子収容室を垂直に並べて設けているので、バスバーおよびヒューズケースを垂直に配置することができると共に、電源線とバスバーとの接続が嵌合により容易に行うことができ、従来のボルト締め構造と比べて部品点数および作業手数が低減できる。
【００１３】
上記バスバーのヒュージブルリンク部を囲む領域を樹脂モールドしている。
または、上記モールドの代わりに、上記バスバーに形成したランス部を上記バスバー収容部に設けた係止溝に係止、あるいは、バスバーに形成した係止穴にバスバー収容部に設けたランス部を係止している。
若しくは、上記バスバーのヒュージブルリンク部を囲む領域に保護枠を取り付け、該保護枠の内部とバスバーのいずれか一方にランス部を突設すると共に、いずれか他方に係止溝を設けて係止し、該保護枠を取り付けた状態で上記バスバー収容部に収容している。
【００１４】
上記のように、ヒュージブルリンク部を囲む領域の補強を図ると、細幅として変形し易いヒュージブルリンク部の保護を図ることができ、ブロック本体内に突出させてヒューズと嵌合する端子に、負荷がかかった時にヒュージブルリンク部に応力集中を発生させない構成とすることができる。
【００１５】
なお、上記ヒューズケースのヒューズ収容部に並設して、予備ヒューズ収容部やヒューズプラーの取付部を設けていると、リレーブロックにおいて必要な予備ヒューズおよびヒューズプラーを効率よくスペース取りすることができる。
【００１６】
【発明の実施の形態】
本発明の実施形態を図面を参照して説明する。
図１乃至図３は第１実施形態を示す。
第１実施形態のリレーボックス（電気接続箱）１０は、ブロック本体１１に、一部をモールドしたバスバー２５を組み込み、さらにヒューズケース１８を組み付けるを構成としている。
【００１７】
ブロック本体１１は、上面１４の一側にリレー収容部１３とコネクタ収容部１７を設け、他側にヒューズケース取付部１２を凹設していると共に、ヒューズケース取付部１２の底面１２ａの一側に連通させてバスバー収容部１５を設け、該バスバー収容部１５の下方に貫通穴１７、該貫通穴１７の下方に端子収容室１６を形成している。
【００１８】
バスバー２５は、図３（Ａ）に示すように、１枚の導電性金属板を打抜加工して形成しており、垂直配置部２５ａと、該垂直配置部２５ａの上端をラインＬ１で屈折させて水平屈折部２５ｂを設け、該水平屈折部２５ｂの先端より複数のヒューズ接続用端子部２５ｃを並列に突出させ、各端子部２５ｃには上端より圧接スロット２５ｃ−１を切り欠いている。
上記垂直配置部２５ａには複数に分岐させた片２５ｄを設け、これら片２５ｄの下端を外部回路接続用端子部２５ｅとして並設している。
また、上記一部の片２５ｄの途中に細幅としてＳ字状に屈曲させたヒュージブルリンク部（ＦＬ部）２５ｆを一体的に形成している。さらに、水平屈折部２５ｂにも細幅とした直線状のヒュージブルリンク部２５ｇを１つ形成している。
【００１９】
３個のヒュージブルリンク部２５ｆを形成している垂直配置部２５ａは下端部分を除いて樹脂モールド部分Ｍを設けている。該樹脂モールド部分Ｍは図３（Ａ）中で二点鎖線で囲む部分をモールドし、ヒュージブルリンク部２５ｆの部分はモールドせずに、過電流時に溶断できるようにしている。
【００２０】
このようにヒュージブルリンク部２５ｆ、２５ｇを一体的に形成したバスバー２５は図３（Ｂ）に示すように、上端のヒューズ接続用端子部２５ｃと下端の外部回路接続用端子部２５ｅとをオフセット配置としている。
【００２１】
ヒューズケース１８は、ブロック本体１１のヒューズケース取付部１２に嵌合される形状で、平面部１８ｂの一側にヒューズ収容部１８ａを備えており、ヒューズ収容部１８ａには端子収容室１８ａ−１、１８ａ−２を設けている。
また、図中には示していないがヒューズケース１８に設けたヒューズ収容部１２に隣接して、予備ヒューズ収容部、ヒューズプラー取付部を隣接配置している。
【００２２】
リレーボックス１０の組み立ては、バスバー２５の垂直配置部２５ａをバスバー収容部１５に上方より挿入し、外部回路接続用端子部２５ｅを貫通穴１７に挿通させて端子収容室１６に突出させると共に、水平屈折部２５ｂをヒューズケース取付部１２の底面１２ａに設置させる。
【００２３】
次いで、ヒューズケース１８を、ブロック本体１１のヒューズケース取付部１２に上方より嵌合させて、ヒューズ収容部１８ａの端子収容室１８ａ−１に、バスバー２５のヒューズ接続用端子部２５ｃを突出させている。
この組みつけ状態でバスバー２５の水平屈折部２５ｂがヒューズケース１８の平面部１８ｂにて上方より押さえられ、ヒューズケース取付部１２の底面１２ａとの間で挟持固定される。
【００２４】
上記バスバー２５のヒューズ接続用端子部２５ｃには、ヒューズ収容部１２に差し込み接続されるヒューズ３０の入力端子３０ａが圧接スロット２５ｃー１に挿入されることにより電気接続が為される。
さらに、端子収容室１６には、電線ｗ１の先端に圧着された端子Ｔ１を挿入係止して、バスバー２５の外部回路接続用端子部２５ｅと嵌合接続している。なお、電線ｗ１の端末をコネクタ（図示せず）に挿入しておき、このコネクタをブロック本体１１の下部に設けたコネクタ部と嵌合させて、端子同士を接続してもよい。
上記電線ｗ１の一部は電源線からなり、電源線の端末に圧着した端子をバスバー２５の端子部２５ｅにワンタッチで直接嵌合して接続している。
上記構成とすることで、電源→ヒュージブルリンク→ヒューズと連続する回路を形成することができる。
【００２５】
上記ヒューズ３０の出力端子３０ｂの一部は、図１（Ｂ）に示すように、ヒューズ収容部１８ａの下部に設けた端子収容室１８ａ−２に挿入係止される電線ｗ２の端末の端子Ｔ２と接続している。
また、ヒューズの出力端子３０ｂの一部は、ブロック本体１１内に収容しているバスバー（図示せず）を介して、リレー収容部１３に搭載するリレーの端子、コネクタ収容部１７に収容するコネクタ内の端子と接続している。
【００２６】
上記構成からなるリレーボックス１０では、バスバー２５の主要部分（垂直配置部２５ａ）を垂直配置しているため、リレーボックス１０の平面スペースを小さくできる。また、バスバー２５に細幅のヒュージブルリンク部２５ｆ、２５ｇを一体形成しているので、別部品としてのヒュージブルリンクを必要とせず、部品点数を低減することができる。
【００２７】
さらに、バスバー２５の下端に外部回路接続用端子部２５ｅに電源線等の電線ｗ１の端子Ｔ１と直接接続（あるいはコネクタ接続）することで、従来のボルト締め構造と比べて部品点数および作業手数が低減できる。
また、バスバー２５をオフセット状態で収容して水平屈折部２５ｂをブロック本体１１のヒューズケース取付部１２の底面１２ａとヒューズケース１８の平面部１８ｂとの間で挟持し、さらに、バスバー２５のヒュージブルリンク部２５ｆを樹脂モールドしているため、端子部２５ｃにヒューズ３０の入力端子３０ａを差し込み接続される際に、ヒューズ３０を押し込む力が細幅のヒュージブルリンク部２５ｆ、２５ｇに集中的に負荷されることを防ぐことができ、ヒュージブルリンク部２５ｆ、２５ｇを保護することができる。
【００２８】
なお、上記実施形態では、バスバー２５のヒュージブルリンク部２５ｆが位置する垂直配置部２５ａをモールドしているが、両端の端子部２５ｃ、２５ｅだけを露出させ、他の部分を全て樹脂モールドしてもよいし、ヒュージブルリンク部２５ｆの周りのみモールドしてもよい。
【００２９】
図４（Ａ）（Ｂ）は第２実施形態を示す。
バスバーのヒュージブルリンク部を囲む部分を樹脂モールドせずに、バスバー収容部内に収容している。
図４（Ａ）の実施形態では、バスバー２５’に切り起こしでランス部２５ｈ’を形成する一方、バスバー収容部１５’の内面に係止溝１１ａ’を設けて、該係止溝１１ａ’にランス部２５ｈ’を挿入係止している。
図４（Ｂ）の実施形態では、バスバー２５”に係止溝２５ｉ”を穿設する一方、バスバー収容部１５”にランス部１１ａ”を突設して、係止溝２５ｉ”に挿入係止している。
他の構成および作用は第１実施形態と同様であるため説明を省略する。
【００３０】
図５は参考実施形態を示す。
バスバー２５には水平屈折部を設けずに、垂直配置部２５ａの上端を真っすぐに突出させ、その先端にヒューズ接続用端子部２５ｃを形成している。
この場合、ヒューズケースには、バスバー収容部１５の上面にヒューズ収容部が配置される構成としている。
上記のようにバスバーをオフセットしない形状としても、バスバー２５に樹脂モールド部Ｍを設けていると共に、該樹脂モールド部Ｍをバスバー収容部に位置決め保持しているため、端子部２５ｃをヒューズ収容部の入力端子側に位置決めすることができる。
【００３１】
図６（Ａ）（Ｂ）は第３実施形態を示す。
バスバー２５’のヒュージブルリンク部を囲む部分を樹脂モールドせずに、保護枠４０内に収容している。
図６（Ａ）の実施形態では、バスバー２５’に切り起こしでランス部２５ｉ’を形成する一方、保護枠４０の内面に係止溝４１を設けて、該係止溝４１にランス部２５ｉ’を挿入係止している。
図６（Ｂ）の実施形態では、バスバー２５”に係止溝２５ｊ”を形成する一方、保護枠４０にランス部４２を突設して、係止溝２５ｊ”に挿入係止している。
他の構成および作用は第１実施形態と同様であるため説明を省略する。
【００３２】
【発明の効果】
以上の説明より明らかなように、本発明によれば、バスバーに細幅部分を設けてヒュージブルリンク部を一体形成しているので、別部品としてのヒュージブルリンクを必要とせず、かつ、ヒュージブルリンクとヒューズ等を電線を介して接続する必要がないため、部品点数および作業手数を低減できる。
また、ヒュージブルリンク部を一体的に設けたバスバーをバスバー収容部に垂直方向に組み込むため、ブロック本体の平面スペースを小さくでき、電気接続箱の小型化を図ることができる。
【００３３】
さらに、バスバーは水平に屈折させて、その水平屈折部をブロック本体とヒューズケースとの間で挟持するので、水平屈折部の先端を垂直方向に屈折させた端子部にヒューズの端子を差し込み接続する際に、ヒューズを押し込む力を水平屈折部で受け止め、垂直配置部に形成した細幅のヒュージブルリンク部に集中応力が発生しないようにしているため、ヒュージブルリンク部の保護を図ることができる。さらに、上記のようにバスバーをモールドしたり、ランス部により係止するため、バスバーの形状が強固に保持され、この点からもヒューズ差し込み時にバスバーが移動したり、ヒュージブルリンク部が変形したりすることを防止できる。
【００３４】
さらに、バスバーの下端に外部回路接続用端子部を設け、電線端末の端子と嵌合接続させているため、電源線とワンタッチ接続でき、従来のボルト締め等と比較して作業性を飛躍的に向上させることができる。
【図面の簡単な説明】
【図１】  （Ａ）は本発明の第１実施形態に係るリレーボックスの上面図、（Ｂ）はＩ−Ｉ線断面図である。
【図２】  ブロック本体の断面図である。
【図３】  （Ａ）はバスバーの展開図、（Ｂ）は側面図である。
【図４】  第２実施形態を示し、（Ａ）（Ｂ）は要部断面図である。
【図５】  参考実施形態を示す要部断面図である。
【図６】  第３実施形態を示す要部断面図である。
【図７】  （Ａ）は従来のリレーボックスの斜視図、（Ｂ）は側面図である。
【符号の説明】
１０  リレーボックス（電気接続箱）
１１  ブロック本体
１２  ヒューズケース取付部
１３  リレー収容部
１５  バスバー収容部
１６  端子収容室
１７  貫通穴
１８  ヒューズケース
１８ａ  ヒューズ収容部
１８ｂ  平面部
２５  バスバー
２５ａ  垂直配置部
２５ｂ  水平屈折部
２５ｃ  ヒューズ接続用端子部
２５ｅ  外部回路接続用端子部
２５ｆ、２５ｇ  ヒュージブルリンク部
３０  ヒューズ
【図１】
0003991634.tif 000002
【図２】
0003991634.tif 000003
【図３】
0003991634.tif 000004
【図４】
0003991634.tif 000005
【図５】
0003991634.tif 000006
【図６】
0003991634.tif 000007
【図７】
0003991634.tif 000008